(57)【特許請求の範囲】
【請求項１】
かつらベースと該かつらベースに植設された複数の毛髪とからなり、
上記かつらベースには頭頂部から前額側に延びて所定の幅を有する分髪領域が設けられ、
上記分髪領域は、上記前額側に向かっての右側への指向性を有する毛髪を植設した右流れブロックと左側への指向性を有する毛髪を植設した左流れブロックとを備え、
前記右流れブロックと左流れブロックとが、複数列に交互に並列配置されている、かつら。
【請求項２】
前記右流れブロックと左流れブロックとが、前記分髪領域の長手方向に沿って、縦長に隣接して配置されている、請求項１記載のかつら。
【請求項３】
前記右流れブロックと左流れブロックとが、前額側に向けて扇形状に拡がって前記分髪領域の長手方向に沿って隣接して配置されている、請求項１記載のかつら。
【請求項４】
前記分髪領域の頭頂部側に、円弧を有する半円状のつむじ部が形成されている、請求項１又は２に記載のかつら。
【請求項５】
前記つむじ部において、毛髪の指向性がつむじの中心部から円弧に向けて放射状に揃えられている、請求項４記載のかつら。
【請求項６】
前記分髪領域の頭頂部側に、円弧を有する半円状のつむじ部が形成されていて、
前記右流れブロックと左流れブロックとが複数個で短冊状に形成され、該短冊状の右流れブロックと左流れブロックとが、前記つむじ部から前額側へ交互に複数段で配置されている、請求項１記載のかつら。
【請求項７】
前記分髪領域の頭頂部側に、円弧を有する半円状のつむじ部が形成されていて、
前記分髪領域において、前記つむじ部から前額側に向けて広がる扇形状の右流れブロックと、前記つむじ部から前額側に向けて広がる扇形状の左流れブロックとが隣接して配置されている、請求項１記載のかつら。
【請求項８】
前記分髪領域の頭頂部側に、円弧を有する半円状のつむじ部が形成されていて、
前記分髪領域において、三角形状の右流れブロックと、三角形状の左流れブロックとが斜辺を介して隣接し、前記つむじ部から前記前額側へ複数段配置されている、請求項１記載のかつら。
【請求項９】
前記つむじ部において、毛髪の指向性がつむじの中心部から円弧に向けて放射状に揃えられている、請求項６〜８のいずれか１つに記載のかつら。
【発明の詳細な説明】
【技術分野】
【０００１】
本発明は毛髪がかつらベースに植設されたかつらに関する。
【背景技術】
【０００２】
かつらは、ネットや人工皮膚などのかつらベースに天然毛髪や人工毛髪を植えつけたものであり、装着していることが目立たないようにすることはもちろんのこと、使用者の望むヘアスタイルに対応可能な様々なバリエーションをもつ形態が求められている。
【０００３】
人間の頭髪は、頭部のつむじ付近を起点として、前頭側に流れる毛髪の流れ、左右の側頭部に向けて流れる毛髪の流れ、後頭部に向けて流れる基本的な毛髪の流れが形成されている。この基本的な毛流に変化を加えることにより、様々なヘアスタイルが形作られている。
【０００４】
かつらにおいて、つむじは、前頭部の後頭部寄り側の一部に、放射状に毛流を拡散させて構成するものや、渦巻き状の毛流とすることにより形成されている。
【０００５】
たとえば、特許文献１には、かつら全体を渦巻き状の毛流とすることでつむじを形成したかつらが示されている。また、特許文献２には、渦巻き状のつむじと前頭部及び後頭部などの部分の毛流を渦巻きの流れに沿った形態としたかつらが示されている。
【０００６】
また、つむじから額にかけて形成される髪の分け目も、かつらのヘアスタイルの大切な要素である。一般に、かつらのヘアスタイルは、植設された毛髪の毛流を整えて、装着者の好みにセットされるが、特許文献１、２のようにかつら全体の毛流を渦巻き状とするすると、髪の分け目のセットが困難になる。そこで、特許文献３には、渦巻き状の毛流ではなく、つむじから額にかけて毛流を前側に揃えたかつらが開示されている。
一方、特許文献４にはつむじから額にかけて、毛流を左右に分けて髪の分け目をあらかじめ形成したかつらが開示されている。
【先行技術文献】
【特許文献】
【０００７】
【特許文献１】特開２００９−４１１１９号公報
【特許文献２】特開２００９−３５８２９号公報
【特許文献３】実開平１−８３０２２号
【特許文献４】実開平５−５４５０９号
【発明の概要】
【発明が解決しようとする課題】
【０００８】
しかし、かつらベースに植設された毛髪は、実際に頭部に生えている髪、すなわち、自毛と異なり、外部からの力に対して弾力的に追随することが難しい。図７（Ａ）に示すように、自毛１１０は、皮膚１１１の内部にある毛包１１２によって固定されているが、皮膚は弾力性を有するとともに、表面付近では自毛１１０との間に窪み１１３があり、根元付近で皮膚１１１が自毛１１０の前後左右の動きに弾力的に追従できる構造となっている。したがって、自毛は、外部からの力に対して無理なく追従することができ、ブラッシング等によって毛流を揃える、あるいは毛流を変化させても柔軟に対応することができる。
【０００９】
これに対し、図７（Ｂ）に示すように、人工毛髪１２０は、かつらベース１２１に結び付けられ又は埋め込んで固定されているだけで、自毛のように根元付近で弾力的に可動できる構造とはなっていない。したがって、人工毛髪に外部からの力が加わると、根元から倒れやすく、又は折れ癖がつきやすい。そして、人工毛髪は一度倒伏又は折れると復元することが困難である。
【００１０】
かつらベースに固定された人工毛髪等（以下、毛髪という）には柔軟性がないため、毛髪はかつらベースに固定される際、あらかじめ特定の方向性が付与されている。すなわち、毛髪はかつらベースに植設される際、根元部分から毛髪を左方向又は右方向に向けて引き上げられながらかつらベースに固定される。かつらベースが人工皮膚の場合には、針足の方向性を変化させて人工皮膚に固定される。このようにして、毛髪には右方向又は左方向へ流れる特性が付与される。この植設時に毛髪に付与される流れの方向を指向性という。指向性を揃えて植設された毛髪を束にして指向性と同じ方向にさらに整えることにより、かつらに毛流が形成される。
【００１１】
特許文献１及び２に記載されたかつらは、かつら全体の毛流の方向が渦巻き状のつむじの毛流の方向に揃えられて形成されている。したがって、かつらのつむじから額にかけて髪の分け目をセットする場合には、つむじの毛流の方向とは正反対の方向に向けて毛流を形成しなければならない。しかし、前述したように、かつらに植設された毛髪の根元部分は自由度が抑制されているため、あらかじめ設定された毛髪の指向性を正反対の方向に変えることは困難である。無理に正反対の方向に毛髪の指向性を変更した場合には、毛髪の根元部分からの倒伏や折れが発生し、髪の分け目に沿ってライン状に毛割れが発生する。毛割れの発生により、かつらの外観が不自然になるばかりでなく、生じたラインを透してかつらを装着していることが露顕されてしまうという不都合が生じてしまう。
【００１２】
また、セットされた髪の分け目付近で毛流が全体の毛流と方向が異なる毛流が形成されるので、髪の分け目一帯につむじの毛流とは異なる不自然な毛流が形成されることになる。この結果、かつら全体としての毛流に繋がりがなくなり、かつら全体に不自然な外観を呈することになってしまう。
【００１３】
特許文献３には、毛髪をつむじ部から前額側に向けてほぼ直線状に植設したかつらが開示されている。この技術では、特許文献１及び２に記載されたかつらに比べ、毛髪の分け目をセットする時には、毛髪の指向性を大きく変更する必要はない。しかし、前額側に向けて直線状に指向性を持つ毛髪を左右に分ける毛髪の手入れが日常的に行われることにより、毛髪の根元からの折れや倒伏が起こりやすくなる。毛髪が根元から折れたり、倒伏すると毛割れが生じたり、毛髪の分け目だけが目立ちやすくなるため、かつらの外観が不自然になってしまう。
【００１４】
特許文献４のかつらでは、毛髪が髪の分け目である仮想線を挟んで毛髪の指向性を約１８０°異なった方向に揃えられた状態で左右対称に植設されている。このかつらの場合、毛髪の指向性が毛髪の分け目に沿って左右に分けて整えられているので、特許文献１〜３に比べ、毛髪の分け目がセットされても毛髪の指向性はそれほど変化しない。しかし、毛髪の分け目のラインの位置が固定されているため、日常的に毛髪を手入れすることにより、あらかじめ設定された指向性の方向に髪の毛が倒伏しやすく、分け目のライン上あるいはラインに沿って毛割れが生じやすいという問題がある。
【００１５】
本発明の目的は、髪の分け目付近での毛割れが発生しにくく、つむじ部分と髪の分け目付近に不自然な毛流が目立ちにくいかつらを提供することにある。
【課題を解決するための手段】
【００１６】
本発明のかつらは、かつらベースと該かつらベースに植設された複数の毛髪とからなり、かつらベースには頭頂部から前額側に延びて所定の幅を有する分髪領域が設けられ、分髪領域は、分髪領域の右側への指向性を有する毛髪を植設した右流れブロックと左側への指向性を有する毛髪を植設した左流れブロックとを備える。
右流れブロックと左流れブロックは隣接して分髪領域に配置されている。また、分髪領域の頭頂部側にはつむじ部が設けられていてもよい。
【発明の効果】
【００１７】
本発明のかつらは、つむじ部分と分け目部分との境界に不自然な外観がなく、つむじから額にかけての髪の分け目付近での毛割れが発生しにくい。従って、自然な分け目を呈する外観のかつらを得ることに加え、植設した毛髪同士がもたれ合うことによって、毛髪の立ち上がりがよく、ボリューム感も向上させることができる。また、髪の分け目をボカしたヘアスタイルにも対応可能である。
【図面の簡単な説明】
【００１８】
【図１】本発明のかつらの概念図である。
【図２】本発明に係る実施形態１の分髪領域の概念図であり、つむじ部と縦長のブロックを備える分髪領域に髪が植設されている状態を示す正面図である。
【図３】実施形態１の変形例の分髪領域を示し、つむじ部と扇形状のブロックを備える分髪領域に髪が植設されている状態の正面図である。
【図４】実施形態２のつむじ部を備えない分髪領域を示す概念図である。
【図５】実施形態３の分髪領域の状態を示す概念図である。
【図６】実施形態３の変形例の分髪領域を示す概念図である。
【図７】自毛と植設された毛髪との相違を説明する概念図である。
【発明を実施するための形態】
【００１９】
以下、本発明を幾つかの実施形態並びに変形例に基づいて図面を参照して詳細に説明する。
［実施形態１］
最初に、本発明の本実施形態１に係るかつら１を図１〜図４に基づいて説明する。
【００２０】
図１に示すように、かつら１は、ネットベース又は柔軟な合成樹脂で成形した人工皮膚で成るかつらベース２に多数の毛髪（図示せず）が植設されて構成されている。本発明に係るかつら１は、全頭形のかつらであっても部分かつらであっても等しく適用可能であるが、実施形態では部分かつらに適用した例を示すものとする。
かつら１には、かつらベース２内に、頭頂部から前額側に延びる所定の幅を有する分髪領域３と、毛流を一定方向に揃えた左サイド部を構成する第一植毛領域５と、該第一植毛領域５とは異なる方向の毛流を有するフロント部を構成する第二植毛領域６とを備え、分髪領域３は第一植毛領域５と第二植毛領域６とに挟まれて左側に形成されて配置されている。分髪領域３には後述するように、指向性の異なる毛髪が植設されている（図２参照）。
【００２１】
図１に示すように、分髪領域３の頭頂部側にはつむじ部４が形成されている。つむじ部４は、通常、かつら装着者の頭頂部の百会付近にある、いわゆるつむじと称される場所に位置して形成する。図１において、つむじ部４の位置をかつら１の左後方側に示すが、この図の位置に限定されるものではなく、かつら装着者のつむじ位置に合わせて設けてもよい。
【００２２】
図１中の矢印は、かつらベース２に植設された毛髪の毛流の方向を示す。第一植毛領域５又は第二植毛領域６の毛流は、かつらベース２に植設された人工毛髪等の指向性を一定方向に揃え、髪の流れを整えることによって形成される。髪の指向性は、人工毛髪等（以下、毛髪という）をかつらベースに植設する際、根元から引き上げながらかつらベースに固定するとき毛髪に付与される左方向又は右方向の流れ方向である。領域内で髪の指向性を揃えて植設することにより、髪の流れを容易に整えることができる。
【００２３】
かつらにおいて、左右の側頭部側（Ｌ方向又はＲ方向）では左向き又は右向きの毛流、後頭部（Ｂ方向）では後ろ向きの毛流、前頭部側（Ｆ方向）では前向きの毛流が一般的に形成されている。しかし、かつらの毛流の方向はこれに限定されるものではなく、装着者の好みのスタイルに応じて、流れの方向が変更されていてもよい。
【００２４】
本実施形態のかつら１は、かつらベース２の後方左側を起点として、分髪領域３が左側頭部寄りにおいて、前額側にかけてかつらベース２内に配置され、分髪領域３の両側には第一植毛領域５及び第二植毛領域６が配置されている。なお、本明細書において、前額側とは、かつら装着者の額の髪の生え際に該当する位置を意味する。
【００２５】
左サイド部の第一植毛領域５では前額左側へ向けた毛流を備え、フロント部領域に対応する第二植毛領域６では、分髪領域３を軸として第一植毛領域５の毛流とほぼ線対象の関係にある毛流を有する。すなわち、本実施形態において、第二植毛領域６は、少なくとも分髪領域３の付近では前額右側へ向けた毛流を備える。なお、第二植毛領域６の右サイド部寄り及び後頭部寄りではほぼ前方に向かった毛流を形成している。尤も、すべての毛流をこの方向に揃えて毛髪を植設することは必ずしも必要ではない。
【００２６】
分髪領域３は第一植毛領域５と第二植毛領域６に挟まれて配置され、分髪領域３を境に毛流が線対象の方向に揃えられる。すなわち、分髪領域３が髪の分け目となって、髪が左右に分けられたヘアスタイルが構成されることになる。
【００２７】
本実施形態において、分髪領域３はかつらベース２の左側に配置されているので、髪を左分けとするヘアスタイルとなる。右分けにする場合には、後頭部右側から前額側にかけて分髪領域３を設け、その両側に第一植毛領域、第二植毛領域を構成すればよい。
【００２８】
図２に分髪領域３とつむじ部４の植毛状態を示す。図２中の矢印の方向は、植設された毛髪の指向性の方向を示している。
【００２９】
図２に示すように、つむじ部４は、分髪領域３内において、後頭部側の一端部に円弧を備える直径５ｍｍ〜５０ｍｍ程度の大きさの半円形状の領域として配置される。すなわち、円弧は分髪領域３の後端部に接している。かつらにおいて、つむじは、一般につむじ中心から渦巻き状に広がる毛流又はつむじ中心から放射状に広がる毛流を備えて形成される。しかし、本発明においては、つむじは、毛髪の指向性を半円形状の中心から円弧側に向け、毛流を放射状にすることが望ましい。これは、つむじの毛流と分け目の境目に不自然な毛流が生じないようにするためである。
【００３０】
分髪領域３は、ほぼ全長にわたって、つむじ部４の直径とほぼ同等の幅を有している。そして、放射状に毛流が形成されたつむじ部４を除き、分髪領域３には異なる指向性を備えた毛髪が植設されている。異なる指向性を備えた毛髪とは、左方向又は右方向の流れが付与された毛髪を意味する。
【００３１】
具体的には、図２に示すように、つむじ部４を除く分髪領域３には、前額側に向かって列状に、複数のブロック３１、図２では４つのブロック３１に画成されている。このブロック３１は、右側への指向性を有する毛髪が植設されている右流れ毛流ブロック３１ａ，３１ｃと、前額側に向かって左側への指向性を有する毛髪が植設されている左流れブロック３１ｂ，３１ｄと、が隣り合わせに配置されている。分髪領域３に右流れブロック３１ａ，３１ｃと左流れブロック３１ｂ，３１ｄとを隣接して配置することにより、隣り合うブロックの毛髪が互いに支えあうことになり、毛髪の倒伏や折れを防止することが可能になる。また、髪の分け目が明瞭に見えないため、分け目をはっきり見せない新しいヘアスタイルにも対応可能である。
【００３２】
指向性の異なる毛髪が植設されたブロックを備える分髪領域３の例を図２及び図３を用いてさらに説明する。
図２は、ブロックを細長い縦列として複数備える分髪領域３の例である。複数のブロック３１（図２では３１ａ〜ｄで表す）が縦長に隣接して分髪領域３の長さ方向に沿って配置されている。いちばん内側のブロック３１ａに植設された毛髪の指向性は、第二植毛領域６の毛流と同じ右流れであり、最も外側のブロック３１ｄに植設された毛髪の指向性は、第一植毛領域５と同じ左流れの毛流である。図２では４列の毛髪が植設されたブロックを示すが、列数はこれに限定されるものではない。
【００３３】
隣り合うブロックに植設された毛髪の指向性はそれぞれ異なっており、分髪領域３内には右流れブロック３１ａ，３１ｃと左流れブロック３１ｂ，３１ｄとが、複数列に交互に並列配置されている。すなわち、左側から順に１列目、３列目、５列目・・・の奇数列には第一植毛領域５の毛流と同じ指向性の毛髪を備えるブロックが配置され、２列目、４列目、６列目・・・の偶数列では第二植毛領域６の毛流と同じ指向性の毛髪を備えるブロックが配置されている。なお、両最外列ブロックの毛髪の指向性を、隣接する第一植毛領域５又は第二植毛領域６の毛流に合わせることにより、分髪領域３と周辺の毛流の不調和を抑えることが可能となるので、かつら外観の不自然さが生じることを防ぐことができる。なお、図示しないが、細長い列のブロックを短辺を介して縦長に隣接して設定してもよい。
【００３４】
図３は実施形態１の変形例を示すものである。図３に示すように、ブロックは分髪領域内で前額側に向けて広がる扇形状のブロックを含んで形成してもよい。図３において、ブロック３１は、つむじ部４内に想定した収束点４３から前額側に放射状に広がって延びる線によって形成される扇形状のブロックを含んでいる。ブロック３１の形状を扇形状とした場合も、前述したように、分髪領域３内に右流れブロック３１ａ，３１ｃと左流れブロック３１ｂ，３１ｄとが複数列に交互に並列配置されている。そして、左側から順に１列目、３列目、５列目・・・の奇数ブロックは第一植毛領域５の毛流に合わせた指向性の毛髪が植設された植毛列とする。２列目、４列目、６列目・・・の偶数ブロックは第二植毛領域６の毛流に合わせた指向性の毛髪が植設された植毛列とする。このようにして右流れブロック及び左流れブロックを分髪領域３内に整列させればよい。
【００３５】
分髪領域３を細分化して面積の小さなブロックに分け、ブロックごとに髪の指向性を異ならせることにより、毛髪の根元部分をブロック単位で支えあうことになるので、櫛等で梳かしても根元が倒れにくくなり、分け目をぼかすことができる。よって、分髪領域３内で発生しやすい毛割れを防ぐことが可能になる。また、ブロックごとに指向性を同じくすればよいので、植毛作業時に、毛髪１本ずつの指向性を確認することもなく植設でき、作業性がよい。前述したように、ブロック数は複数であり、毛割れを防止する観点から４以上とすることが好ましい。
【００３６】
なお、分髪領域３の後頭部側につむじ部４を設けず、分髪領域３の幅を５ｍｍ〜５０ｍｍ程度として、装着者の髪の分け目に合わせるようにかつらベース２上に設けてもよい。この場合、つむじを明確にしないヘアスタイルを構成することができる。
【００３７】
かつらベース２には、熱可塑性樹脂の人工皮膚やネットを使用することができる。人工皮膚としてはウレタンエラストマー、シリコンが、ネットにはナイロン又はポリエステル繊維を網目状に構成したものが好適である。ネットを使用する場合には、より網目の小さい方が細やかな領域分割や毛髪の指向性に変化をつけ易く、例えば６０メッシュ／インチ以上のメッシュ数で編成されたネットが好ましい。
【００３８】
なお、かつらベース２に人工皮膚を用いた場合、毛髪の針足の方向と毛髪を引き上げる方向とによって毛髪に指向性が付与される。
【００３９】
毛髪は、かつらベース２に想定したつむじ部４あるいは分髪領域３に直接植設してもよいが、つむじ部４と分髪領域３とを一体化した形状に裁断した基布に毛髪を植設してもよい。この場合、毛髪が植設された基布をかつらベース２に上乗せし、固定することにより、かつら１に分髪領域３が配置されることになる。
【００４０】
［実施形態２］
実施形態２のかつらは、つむじ部が形成されていない点で実施形態１のかつらと異なる。図４に示すように、分髪領域３Ａには、収束点４３を起点とし、前額側に広がって延びる放射状の線によって形成される複数の扇形状のブロック３１が含まれる。収束点４３は、分髪領域３Ａの頭頂部側、すなわち後端側である一端部に想定することが好ましい。
【００４１】
複数のブロック３１には、それぞれ指向性の異なる毛髪が植設されており、分髪領域３内には右流れブロックと左流れブロックとが、複数列に交互に並列配置されている。すなわち、左側から順に１列目、３列目、５列目・・・の奇数列のブロックには第一植毛領域５の毛流と同じ指向性の毛髪が植設されている。一方、２列目、４列目、６列目・・・の偶数ブロックには第二植毛領域６の毛流と同じ指向性の毛髪が植設されている。なお、両最外列のブロックの毛髪の指向性を隣接する第一植毛領域５又は第二植毛領域６の毛流と合わせることにより、毛流の乱れによるかつら外観に不自然さが生じることを防ぐことができる。ブロック数は複数であり、毛割れを防止する観点から、４以上とすることが望ましい。
【００４２】
本実施形態ではつむじ部が形成されていないため、つむじ中心がはっきりしなくなる。しかし、分髪領域３Ａと第一植毛領域５の毛流と第二植毛領域６の毛流とが異なっているため、収束点４３が分髪領域の起点となって見える。したがって、収束点４３につむじが存在するように見えることになる。従って、つむじをぼかした外観を呈させることができる。
【００４３】
［実施形態３］
実施形態３に係るかつら１は、短冊状のブロック３２を分髪領域３Ｂのつむじ部４から前額側に向けて配置した点で実施形態１と異なっている。
【００４４】
実施形態３に係るかつらを図５に示す。実施形態１と同様につむじ部４の毛流は放射状となるように形成する。なお、つむじ部４は、分髪領域３Ｂとの間で生ずる毛流の不自然さを解消する観点から、後頭部側に円弧を有する半円状とすることが好ましい。すなわち、つむじの円弧部分は分髪領域３Ｂの一端部に接することになる。
【００４５】
つむじ部４から前額側に向けて、複数の短冊状のブロック３２が互いの上辺と下辺が重なるように分髪領域３Ｂに配置される。図５においては、複数の短冊状ブロック３２の長辺である上辺と下辺がそれぞれ重なるように隣接し、つむじ部４から前額側に向けて段状に並べられている。
【００４６】
つむじ部４に接する側から順に１段目、３段目、５段目・・・の奇数段は第一植毛領域５の毛流と同じ指向性の毛髪が植設されたブロックである。２段目、４段目、６段目・・・の偶数段は第二植毛領域６の毛流と同じ指向性の毛髪が植設されたブロックである。すなわち、短冊状の右流れブロックと左流れブロックとが、つむじ部から前額側へ交互に複数段で配置された構成としている。
【００４７】
短冊状のブロック３２の段数は、つむじ部４、第一植毛領域５及び第二植毛領域６の毛流との調和を図るため、なるべく多くすることが望ましい。すなわち、短冊状ブロック３２の短辺は短いほうが望ましい。具体的には、つむじ部の直径より短く、好ましくは、半径以下でとする。
【００４８】
複数の短冊状のブロック３２をつむじ部４から前額側に向けて長辺を隣接して段状に配置することにより、実施形態１、２に比べ、髪の分け目をさらにぼかすことができる。
【００４９】
図６は図５に示す実施形態３の変形例を示している。図６に示すように、短冊状のブロック３２をさらに、対角線によって二つに分け、三角形のブロック形状としても良い。
【００５０】
三角形のブロック３２ａ、３２ｂは、分髪領域３の長手方向に対して左又は右の側端部の一方に三角形の底辺を有し、頂点を他側端部に有する。
【００５１】
そして、右側側端部に底辺を有する三角形のブロック３２ａには、左側側端部に底辺を有する三角形３２ｂが斜辺を介して隣接して配置されている。このように、２つの三角形のブロック３２ａ、３２ｂが重なることで短冊状のブロック３２が形成されている。
【００５２】
なお、三角形のブロック３２ａには、第二植毛領域６の毛流と同じ指向性を有する毛髪が植設され、ブロック３２ｂには、第一植毛領域５の毛流と同じ指向性を有する毛髪が植設されている。
【００５３】
このように、ブロックの面積を小さくすることにより、さらに分髪部内での毛割れを生じにくくなる。短冊状のブロック３２の分割は、この例に限られるものではなく、ブロック３２の長辺を分断してより小さなブロックとしてもよい。植毛列の面積を小さくすることで、ブラッシング等の外的な力に対しても、毛髪が束になって倒れることを防止でき、分髪領域３Ｃのボリューム感を維持することが可能になる。また、実施形態１や２に比べ、髪の分け目が目立ちにくく、分け目をぼかす新しいヘアスタイルにも柔軟に対応できる。
【００５４】
以下に本発明のかつらの作製の一例を説明する。
かつら装着者の頭部に被せて頭部形状を型取りした合成樹脂製の雌型に、石膏を流し込んで頭型雄型を作製する。この頭型雄型の表面に熱可塑性樹脂の人工皮膚やネットの基布を張って、固定した後、例えば熱硬化性ウレタンなどの熱硬化性樹脂溶液を雄型に固定した基布に塗布して加熱処理により基布を頭部形状に成形してかつらベースを作製する。
【００５５】
次に、作製したかつらベースにかつらベースの外周線、つむじの中心をマークする。そして、つむじの中心からかつらベースの前額の縁部に向けて髪の分け目の仮想中心線をマークする。分け目の仮想中心線の角度は所望に応じて適宜設定すればよい。
つむじ中心を中心として半径２〜３ｃｍの円を描き、分け目も仮想中心線を起点として分け目の仮想中心線に平行な線をかつらベースの前縁部と、つむじの中心を中心点として描いた円とに接するようにして、つむじと分け目の一体化部分、すなわち分髪領域を画成する。
【００５６】
つむじは、完全な円形状のつむじではなく半円状態のほうが好ましい。つむじを完全な円形状で表現した場合、毛髪の指向性の違いによる毛流に乱れや毛分れが発生しやすくなるからである。
【００５７】
次に、画成した分髪領域を分け目のスタイルに応じて複数のブロックに分割して、ブロックごとに毛髪の指向性を変えて植設していく。
植設する毛髪は人毛でも合成樹脂製の人工毛髪の何れでもよく、人工毛髪の場合には植設後に所望のカールの付与が困難であるので、予めカールが付与された毛髪を植設しても良い。
【符号の説明】
【００５８】
１                                かつら
２                                かつらベース
３，３Ａ，３Ｂ，３Ｃ              分髪領域
４                                つむじ部
５                                第一植毛領域
６                                第二植毛領域
７                                後部植毛領域
８                                側部植毛領域
３１、３２                          ブロック
４３                                収束点
【図１】
0005384403.tif 000002
【図２】
0005384403.tif 000003
【図３】
0005384403.tif 000004
【図４】
0005384403.tif 000005
【図５】
0005384403.tif 000006
【図６】
0005384403.tif 000007
【図７】
0005384403.tif 000008